(57)【要約】【課題】炭とくに、竹炭を含有した繊維にあって、該竹炭による効果を有効に発揮する。【解決手段】竹炭の微粉末２を含有したレーヨン又はポリエステルからなる合成樹脂綿と、天然綿とを混合して綿混糸１を得る。【選択図】  図１
2005068565.tif 000002
【特許請求の範囲】
【請求項１】
竹炭の微粉末を含有したレーヨン又はポリエステルからなる合成樹脂綿と天然綿とを混合して成形されてなるを特徴とする綿混糸。
【請求項２】
竹炭を約１ミクロン程度の微粉末にし、この微粉末状の竹炭をレーヨン又はポリエステルの樹脂溶液中に混合して合成樹脂綿を成形し、さらに、３０％の合成樹脂綿と７０％の天然綿とを混合して綿混糸を得ることを特徴とする竹炭粉末を含有した綿混糸の製造方法。
【請求項３】
竹炭の微粉末を含有したレーヨン又はポリエステルからなる合成樹脂綿と天然綿とを混合してなる綿混糸と、天然綿糸とを経糸及び緯糸として該綿混糸と天然綿糸とを１：１の割合で織り込んでなるを特徴とする綿混糸を用いた生地。
【発明の詳細な説明】
【０００１】
【発明の属する技術分野】
本発明は、竹炭粉末を含有した綿混糸及びその製造方法並びにその綿混糸を用いた生地に関するものである。
【０００２】
【従来の技術】
従来、各種の合成樹脂繊維に炭を含有したものにあっては、種々のものが案出されているが、これまでのものにおいてはその含有した炭の効果を満足するには至っていないのが現状である。
なお、この技術の特許文献としては未調査である。
【０００３】
【発明が解決しようとする課題】
そこで、本発明は、炭とくに、竹炭を含有した繊維にあって、該竹炭による効果を有効に発揮することができる竹炭粉末を含有した綿混糸及びその製造方法並びにその綿混糸を用いた織物を提供することを目的とする。
【０００４】
【課題を解決するための手段】
上記した課題を解決するために、本発明の請求項１に記載の発明は、竹炭の微粉末を含有したレーヨン又はポリエステルからなる合成樹脂綿と天然綿とを混合して成形されてなるを要旨とする。
【０００５】
上記した構成によれば、竹炭による効果を有効に発揮し得る綿混糸を得ることができる。これにより、綿混糸に対して天然綿の優れた性質に加え、竹炭の性質である保温性、吸湿性、調湿性。帯電防止性が発揮されるとともに、マイナスイオンを発生させる綿混糸とすることができる。
なお、本発明にいう「綿混糸」とは、合成樹脂綿と天然綿とを混合したものをいう。
【０００６】
本発明の請求項２に記載の発明は、竹炭粉末を含有した綿混糸の製造方法であって、竹炭を約１ミクロン程度の微粉末にし、この微粉末状の竹炭をレーヨン又はポリエステルの樹脂溶液中に混合して合成樹脂綿を成形し、さらに、３０％の合成樹脂綿と７０％の天然綿とを混合して綿混糸を得ることを要旨とする。
【０００７】
この構成によれば、綿混糸に対して天然綿の優れた性質に加え、竹炭の性質である保温性、吸湿性、調湿性。帯電防止性が発揮されるとともに、マイナスイオンを発生させる綿混糸を得ることができる。
【０００８】
本発明の請求項３に記載の発明は、綿混糸を用いた生地として、竹炭の微粉末を含有したレーヨン又はポリエステルからなる合成樹脂綿と天然綿とを混合してなる綿混糸と、天然綿糸とを経糸及び緯糸として該綿混糸と天然綿糸とを１：１の割合で織り込んでなるを要旨とする。
【０００９】
この構成によれば、天然綿糸の優れた性質に加え、綿混糸に含有された竹炭の性質である保温性、吸湿性、調湿性。帯電防止性に富む、さらにマイナスイオンを発生する生地を得ることができる。
【００１０】
【発明の実施の形態】
以下、本発明の実施の形態を図にしたがって説明する。
図１は、竹炭微粉末を含有したレーヨン又はポリエステルからなる合成樹脂綿と天然綿とを混合してなる綿混糸１を示す説明図、図２は該綿混糸１と天然綿糸３とにより織り込まれた生地の説明図を示す。
【００１１】
この綿混糸１は、以下のようにして製造される。
まず、竹炭の微粉末として約１ミクロン程度の竹炭微粉末を作る。
そして、この竹炭微粉末をレーヨン又はポリエステルの樹脂溶液中に混合してレーヨン又はポリエステルのチップを作る。
この場合、レーヨン又はポリエステルの樹脂溶液を１００として約２０％の竹炭部粉末を混合することが望ましい。
ついで、竹炭微粉末を含有するレーヨン又はポリエステルのチップを開繊等して合成樹脂綿を成形する。
【００１２】
そして、上記した竹炭微粉末を含有した合成樹脂綿と天然綿とを混合して既存の紡糸機（図示しない）により所望の番手の綿混糸１を得る。この場合、合成樹脂綿と天然綿とを混合割合は、例えば、合成樹脂綿を３０％、天然綿を７０％とすることが望ましい。なお、図１において黒塗りで表した部分は該綿混糸１に含有の竹炭微粉末２を示す。
【００１３】
上述のようにして得られた竹炭微粉末２を含有した綿混糸１にあっては、綿混糸１としての天然綿の優れた性質に加え、その含有された竹炭微粉末２自体の特有の性質である保温性、吸湿性、調湿性。帯電防止性を良好に発揮するとともに、さらには、竹炭微粉末２による特性であるマイナスイオンを発生する素材としての綿混糸１を得ることができる。
【００１４】
ついで、上記した竹炭微粉末を含有した綿混糸１を用いて生地を得る場合について説明する。
この生地の経糸及び緯糸としては、該綿混糸１と天然綿糸３がそれぞれ１：１の割合で使用されるものである。
【００１５】
すなわち、図２に示すように、例えば、平織りにおいて、その経糸及び緯糸として前述の綿混糸１と天然綿糸３とをそれぞれ交互に織り込んで所定の生地が織成されるものである。
【００１６】
上記のようにして織成された生地にあっては、その織り込まれた天然綿糸３による優れた性質に加え、その綿混糸１に含有された竹炭微粉末２自体の特有の性質である保温性、吸湿性、調湿性。帯電防止性を良好に発揮するとともに、さらには、竹炭微粉末２による特性であるマイナスイオンを発生する生地とすることができるものである。
【００１７】
なお、本実施の形態における生地の織成にあって、綿混糸１と天然綿糸３とをそれぞれ交互に織り込む平織りについて説明したが、必ずしもこの態様に限定するものではなく、綿混糸１と天然綿糸３とを１：１の割合で織成するのであれば、その綿混糸１と天然綿糸３の織り順序及び織り方法は種々選択できるものである。
【００１８】
【発明の効果】
請求項１の発明によれば、竹炭による効果を有効に発揮し得る綿混糸を得ることができる。これにより、綿混糸に対して天然綿の優れた性質に加え、竹炭の性質である保温性、吸湿性、調湿性。帯電防止性が発揮されるとともに、マイナスイオンを発生させる等、該竹炭による効果を有効に発揮する綿混糸とすることができる。
【００１９】
請求項２の発明によれば、綿混糸に対して天然綿の優れた性質に加え、竹炭の性質である保温性、吸湿性、調湿性。帯電防止性が発揮されるとともに、マイナスイオンを発生させる等、該竹炭による効果を有効に発揮する綿混糸を得ることができる。
【００２０】
請求項３の発明によれば、天然綿糸の優れた性質に加え、綿混糸に含有された竹炭の性質である保温性、吸湿性、調湿性。帯電防止性に富み、さらにマイナスイオンを発生する等、該竹炭による効果を有効に発揮する生地を得ることができる。
【図面の簡単な説明】
【図１】本実施の形態における竹炭微粉末を含有したレーヨン又はポリエステルからなる合成樹脂綿と天然綿とを混合してなる綿混糸の説明図である。
【図２】同じく、該綿混糸と天然綿糸とにより織り込まれた生地の説明図である。
【符号の説明】
１  綿混糸
２  竹炭微粉末
３  天然綿糸
【図１】
2005068565.tif 000003
【図２】
2005068565.tif 000004